(57)【特許請求の範囲】
【請求項１】
貯水空間形成ブロックを水平方向の縦横２方向に配列すると共に積層して組立てたブロック組立構造体と、壁と、天板と、シート材と、流入口とを備えた地下貯水槽における上記貯水空間形成ブロックを、水平構造部と該水平構造部から突出させて設けた支柱部で構成される貯水空間形成ブロックとして、上記貯水空間形成ブロックを多段に積層して組立てて上記ブロック組立構造体とし、
上記ブロック組立構造体の上記流入口に対応する個所で、上記ブロック組立構造体の下端から上端に亘って上記貯水空間形成ブロックを積層しない領域で形成される開口部と、
上記開口部の四方のそれぞれの内周縁に取り外し可能に設けた仕切壁と、
該仕切壁に設けた壁厚方向に貫通する流水口と、を備え、
上記各仕切壁は、上記貯水空間形成ブロックの積層方向に分割されて壁ユニットの組立構造としてなり、
該各壁ユニットの高さ寸法は、上記積層した貯水空間形成ブロックのうち、該貯水空間形成ブロックを２つ積層した高さ寸法として形成してなる構成を有することを特徴とする
地下貯水槽の堆砂装置。
【請求項２】
上記仕切壁の内側に、該仕切壁の各壁ユニットの内側の四隅部に沿って配置した上下方向に延びる支柱部材と、該隣接する支柱部材同士の間を連結する水平方向の梁部材とからなる荷重伝達用枠体を設けた
請求項１記載の地下貯水槽の堆砂装置。
【請求項３】
上記貯水空間形成ブロックを、上記支柱部が上方へ突出する姿勢の貯水空間形成ブロックと、その上側に上下反転させた姿勢の貯水空間形成ブロックとを上下に積層して２個一組の貯水空間形成ブロックとして、
上記各壁ユニットの高さ寸法を、上記２個一組の貯水空間形成ブロックの高さ寸法とする構成とした
請求項１又は２記載の地下貯水槽の堆砂装置。
【請求項４】
仕切壁の内側にフィルタを取り外し可能に設けるようにした
請求項１、２又は３記載の地下貯水槽の堆砂装置。
【発明の詳細な説明】
【技術分野】
【０００１】
本発明は、地下貯水槽の流入口付近に設けて、水と共に流れ込む石や砂利、土の塊等を沈殿させるための地下貯水槽の堆砂装置に関するものである。
【背景技術】
【０００２】
従来より、地下には、貯水槽（雨水貯留浸透施設）を設けて、降雨時に雨水を一時的に貯留できるようにし、この貯留した雨水を徐々に下水に流したり、周囲の地中に徐々に浸透させたりすることにより、洪水の発生を抑制することが行われている。
【０００３】
又、上記地下貯水槽に貯留した雨水は、防火用水や、花壇や畑の散水等に利用することも考えられている。
【０００４】
上記のような地下貯水槽を構築する場合、近年では、樹脂製の貯水空間形成ブロック（骨格ブロック）として、図３に示すように、平面形状が正方形で且つ所定の厚み寸法を有する水平構造部２と、該水平構造部２の上面より垂直方向に突出する単数又は複数の支柱部３（図３では支柱部３が単数の形式の場合が示してある）とを一体にして備え、且つ上記水平構造部２には、上下方向に水を通過させるための図示しない透口（開口）を設けてなる構成の貯水空間形成ブロック１が多く用いられるようになってきている。
【０００５】
この種の貯水空間形成ブロック１を用いて地下貯水槽を構築する場合は、図３に示すように、地面４を掘り下げて平面形状が矩形（正方形を含む）の凹部（貯水部）５を形成する。
【０００６】
次いで、上記凹部５の内側にて、上記樹脂製の貯水空間形成用のブロック１を、水平方向に縦横の２方向に配列すると共に上下方向に多段に積層して直方体（立方体を含む）形状に組み立てて、上下に位置する水平構造部２の間の内部に貯水空間を備えたブロック組立構造体（空間保持骨格）６を形成する。
【０００７】
この際、上記貯水空間形成ブロック１は、水平方向の縦横２方向に配列して組み立てるときに、隣接する貯水空間形成ブロック１同士で、上記平面形状正方形の水平構造部２の外周端面を互いに突き合せて、この突合せ部分を、図示しない連結手段（固定手段）により連結する。これにより、組み立てられた上記ブロック組立構造体６では、或る高さ位置毎に、水平面内で各貯水空間形成ブロック１の水平構造部２が連続して配置された構造が形成されるようにして、該ブロック組立構造体６に対して外周より作用する水平方向の荷重を、上記各貯水空間形成ブロック１の各水平構造部２に作用する圧縮荷重として受けて支持することができるようにしてある。
【０００８】
又、上記貯水空間形成ブロック１は、上下方向に多段に積層して配置するときには、最も下段の貯水空間形成ブロック１を、支柱部３が上向きとなる通常姿勢に配置すると共に、その上側に、上下を反転させた姿勢の別の貯水空間形成ブロック１を配置して、上下方向に対向配置される両者の支柱部３同士を突き合せて、この突合せ部分を、図示しない連結手段（固定手段）により連結するようにしてある。更に、その真上に、上記と同様に通常姿勢と上下反転姿勢で上下に組み合わせて連結した貯水空間形成ブロック１の組を、所定の段数で重ねて配置するようにしてある。これにより、組み立てられた上記ブロック組立構造体６では、上下方向に積層配置されている各貯水空間形成ブロック１の支柱部３が上下に連続して配置された構造が形成されるようにして、該ブロック組立構造体６に対して上方より作用する鉛直方向の荷重を、上記上下方向に連続配置された上記各貯水空間形成ブロック１の支柱部３に作用する圧縮荷重として受けて支持することができるようにしてある。
【０００９】
上記のように凹部５内で組み立てたブロック組立構造体６は、その外周に壁（側壁）７を設けると共に上面に天板８を取り付け、更に、周囲を、雨水の貯留や浸透の目的に応じて遮水シートや透水シートや保護シートを適宜選択あるいは組み合わせて用いるシート材９で覆った後、上側から土を埋め戻すことにより、地下貯水槽Ｉを構築するようにしてある。
【００１０】
又、上記地下に埋設された地下貯水槽Ｉには、雨水等を流入させるための流入口１０と、河川等への排水を行う必要がある場合は、そのための流出口１１が設けられている。
【００１１】
ところで、上記地下貯水槽Ｉでは、地面等に降った雨水が排水溝を伝って流入してくるような場合には、流入する雨水に石や砂利、土の塊等が混じって流れ込むことがある。
【００１２】
上記貯水空間形成ブロック１を組み立てて構築されている上記ブロック組立構造体６では、その内部に形成されている空隙部が、作業者が入って作業するには狭いため、上記石や砂利、土の塊等が、上記地下貯水槽Ｉの内底部に広がって沈殿してしまうと、該沈殿物を除去することが困難である。よって、該沈殿物の堆積に伴って、地下貯水槽Ｉの貯水可能な容積が次第に減少してしまうという問題が生じる。
【００１３】
そのために、図３、図４に示すような堆砂用の手段が従来提案されている。
【００１４】
かかる堆砂用の手段は、地下貯水槽Ｉの内部における上記流入口１０を取り囲む位置に、図示しない流水口（開口）を備えた樹脂製の仕切壁１２が、該地下貯水槽Ｉの内底部から天井付近まで立ち上がるように設けられている。更に、水平構造部２の一角が、たとえば、１／４円状に切り欠かれた構造の切欠付き貯水空間形成ブロック１３を、水平面内で中央部に沈殿物回収用の作業孔１４が形成されるように４つ組み合わせ、この４つ一組の切欠付き貯水空間形成ブロック１３を、上記仕切壁１２の内側に、仕切壁１２の外側の他の貯水空間形成ブロック１と同様に上下方向に積層して取り付けてなる構成としてある。  かかる堆砂用の手段によれば、上記仕切壁１２における図示しない流水口を、半径約１０ｍｍの大きさとすることにより、上記仕切壁１２の内側を沈殿槽として機能させて、上記流入口１０より石や砂利、土の塊等が雨水と共に流入するときに、これらを沈殿させることができて、地下貯水槽Ｉにおける上記仕切壁１２の外側の領域に沈殿物の堆積を防止できるとされている（たとえば、特許文献１、特許文献２参照）。
【００１５】
又、上記仕切壁１２の内側で生じる堆積物は、該仕切壁１２の内側に設置されている各切欠付き貯水空間形成ブロック１３の切欠き部により形成された作業孔１４に作業者が入って除去作業を行うことが可能になるようにしてある。
【先行技術文献】
【特許文献】
【００１６】
【特許文献１】特許第４１６３０８８号公報
【特許文献２】特許第４３１６６０１号公報
【発明の概要】
【発明が解決しようとする課題】
【００１７】
ところが、特許文献１、２に示された形式の地下貯水槽Ｉの堆砂用の手段は、作業孔１４を形成するために切欠付き貯水空間形成ブロック１３が必要とされるが、この切欠付き貯水空間形成ブロック１３は、仕切壁の外側で組み立てられる通常の貯水空間形成ブロック１とは形状が異なる特殊ブロックであるため、該貯水空間形成ブロック１とは別に製造しなければならない。よって、上記地下貯水槽Ｉに堆砂用の手段を装備する場合の経済性に劣るという問題がある。
【００１８】
すなわち、上記切欠付き貯水空間形成ブロック１３を樹脂による一体成形物として製造する場合は、上記貯水空間形成ブロック１を樹脂成形するための金型とは別の金型が必要になることから、コストが嵩んでしまう。
【００１９】
又、上記切欠付き貯水空間形成ブロック１３は、通常の貯水空間形成ブロック１と同様の構成における水平構造部２の一部が切り欠かれているものであると共に、上記貯水空間形成ブロック１における支柱部３の配置や数によっては、該支柱部３の一部が切り欠かれたり、複数の支柱部３の一部が省略された構成となっている。そのために、上記切欠付き貯水空間形成ブロック１３は、通常の貯水空間形成ブロック１に比して耐力が低くなることから、地下貯水槽Ｉにおける上記仕切壁１２の内側の該切欠付き貯水空間形成ブロック１３の設置個所が、構造的に弱くなるという問題も懸念される。
【００２０】
更に、上記堆砂用の手段は、仕切壁１２の内側に、上記切欠付き貯水空間形成ブロック１３が設置された構成であるため、上記作業孔１４から仕切壁１２までの間には、該切欠付き貯水空間形成ブロック１３が存在している。そのために、作業孔１４から仕切壁１２までの距離が遠く、しかも、上記仕切壁１２について上記図示しない流水口の目詰まり等の点検や保守を行う場合は、上記作業孔１４に入った作業者が、上記切欠付き貯水空間形成ブロック１３によって形成されている狭い空隙部を通して上記点検や保守の作業を行う必要があることから、作業性が悪いという問題もある。
【００２１】
更には、上記仕切壁１２の取り外しを行うためには、該仕切壁１２の内側に配設されているすべての切欠付き貯水空間形成ブロック１３も取り外す必要が生じるため、該仕切壁の取り外しが困難である。
【００２２】
そこで、本発明は、地下貯水槽の流入口より水と共に流入する石や砂利、土の塊等を、沈殿させて、これらの沈殿物が上記地下貯水槽の内底部全体に広がって生じることを防止でき、更に、点検や保守の作業を行う際の作業性を高めることができる地下貯水槽の堆砂装置を提供しようとするものである。
【課題を解決するための手段】
【００２３】
本発明は、上記課題を解決するために、貯水空間形成ブロックを水平方向の縦横２方向に配列すると共に積層して組立てたブロック組立構造体と、壁と、天板と、シート材と、流入口とを備えた地下貯水槽における上記貯水空間形成ブロックを、水平構造部と該水平構造部から突出させて設けた支柱部で構成される貯水空間形成ブロックとして、上記貯水空間形成ブロックを多段に積層して組立てて上記ブロック組立構造体とし、上記ブロック組立構造体の上記流入口に対応する個所で、上記ブロック組立構造体の下端から上端に亘って上記貯水空間形成ブロックを積層しない領域で形成される開口部と、上記開口部の四方のそれぞれの内周縁に取り外し可能に設けた仕切壁と、該仕切壁に設けた壁厚方向に貫通する流水口と、を備え、上記各仕切壁は、上記貯水空間形成ブロックの積層方向に分割されて壁ユニットの組立構造としてなり、該各壁ユニットの高さ寸法は、上記積層した貯水空間形成ブロックのうち、該貯水空間形成ブロックを２つ積層した高さ寸法として形成してなる構成とする。
【００２４】
又、上記構成において、上記仕切壁の内側に、該仕切壁の各壁ユニットの内側の四隅部に沿って配置した上下方向に延びる支柱部材と、該隣接する支柱部材同士の間を連結する水平方向の梁部材とからなる荷重伝達用枠体を設けた構成とする。
【００２５】
更に、上記貯水空間形成ブロックを、上記支柱部が上方へ突出する姿勢の貯水空間形成ブロックと、その上側に上下反転させた姿勢の貯水空間形成ブロックとを上下に積層して２個一組の貯水空間形成ブロックとして、上記各壁ユニットの高さ寸法を、上記２個一組の貯水空間形成ブロックの高さ寸法とする構成とする。
【００２６】
更に又、上記各構成において、仕切壁の内側にフィルタを取り外し可能に設けるようにした構成とする。
【発明の効果】
【００２７】
本発明の地下貯水槽の堆砂装置によれば、以下のような優れた効果を発揮する。
（１）貯水空間形成ブロックを水平方向の縦横２方向に配列すると共に積層して組立てたブロック組立構造体と、壁と、天板と、シート材と、流入口とを備えた地下貯水槽における上記貯水空間形成ブロックを、水平構造部と該水平構造部から突出させて設けた支柱部で構成される貯水空間形成ブロックとして、上記貯水空間形成ブロックを多段に積層して組立てて上記ブロック組立構造体とし、上記ブロック組立構造体の上記流入口に対応する個所で、上記ブロック組立構造体の下端から上端に亘って上記貯水空間形成ブロックを積層しない領域で形成される開口部と、上記開口部の四方のそれぞれの内周縁に取り外し可能に設けた仕切壁と、該仕切壁に設けた壁厚方向に貫通する流水口と、を備え、上記各仕切壁は、上記貯水空間形成ブロックの積層方向に分割されて壁ユニットの組立構造としてなり、該各壁ユニットの高さ寸法は、上記積層した貯水空間形成ブロックのうち、該貯水空間形成ブロックを２つ積層した高さ寸法として形成してなる構成としてあるので、地下貯水槽の流入口より水と共に流入する石や砂利、土の塊等は、仕切壁により囲まれた開口部の内底部に沈殿させることができる。この開口部の内底部に堆積する沈殿物は、開口部の仕切壁の内側へ作業者が入って除去することができるため、これらの沈殿物が地下貯水槽の内底部全体に広がって生じることを防止することができる。
（２）更に、開口部の周縁に設けられた仕切壁の内側に入った作業者は、該仕切壁に触ることが可能になる。よって、上記仕切壁に対し、流水口の目詰まり等の点検や保守を行う場合の作業性を高めることができる。又、上記仕切壁を容易に取り外すことが可能になる。
（３）通常の貯水空間形成ブロックとは別の形状の特殊な貯水空間形成ブロックの必要がないため、この特殊な貯水空間形成ブロックを製造するための金型を用意する必要はない。よって、本発明の地下貯水槽の堆砂装置を装備するために要するコストを抑制することができる。
（４）更に、上記各仕切壁を、貯水空間形成ブロックの積層方向に分割されて壁ユニットの組立構造として、該各壁ユニットの高さ寸法を、積層した貯水空間形成ブロックのうち、該貯水空間形成ブロックを２つ積層した高さ寸法として形成するようにしてあるので、地下貯水槽におけるブロック組立構造体を構成する貯水空間形成ブロックの積層段数や、該ブロック組立構造体に設ける開口部のサイズが異なる場合にも、該開口部の周縁に設けるための適切なサイズの仕切壁を、上記壁ユニットを用いて組み立てて容易に製作することができる。
（５）上記仕切壁の内側に、該仕切壁の各壁ユニットの内側の四隅部に沿って配置した上下方向に延びる支柱部材と、該隣接する支柱部材同士の間を連結する水平方向の梁部材とからなる荷重伝達用枠体を設けた構成とすることにより、地下貯水槽は、ブロック組立構造体における開口部を設けた部分の縦剛性や水平方向剛性を、上記荷重伝達用枠体により担保することができることから、該開口部を設けた部分の強度が低下する虞を防止できる。
（６）上記仕切壁の内側には、支柱部材と梁部材とからなる枠構造の荷重伝達用枠体が配置されているのみであるため、該荷重伝達用枠体の内側から、上記仕切壁までの距離を近いものとすることができる。更に、上記荷重伝達用枠体の内側からは、支柱部材と梁部材の間に形成されている大きな開口を通して仕切壁に触ることが可能になる。よって、上記仕切壁に対し、流水口の目詰まり等の点検や保守を行う場合の作業性を高いものとすることができる。
（７）上記荷重伝達用枠体は、棒状の支柱部材と梁部材の連結により容易に製造することができる。更に、上記荷重伝達用枠体の支柱部材と梁部材の連結個所を取り外し可能とすると、上記開口部の内側から、該開口部の周縁に配置されている仕切壁を容易に取り外すことが可能になる。
（８）上記貯水空間形成ブロックを、支柱部が上方へ突出する姿勢の貯水空間形成ブロックと、その上側に上下反転させた姿勢の貯水空間形成ブロックとを上下に積層して２個一組の貯水空間形成ブロックとして、上記各壁ユニットの高さ寸法を、上記２個一組の貯水空間形成ブロックの高さ寸法とする構成とすることにより、上記（４）と同様の効果を奏することができる。
（９）仕切壁の内側にフィルタを取り外し可能に設けるようにした構成とすることにより、より粒径の小さい沈殿物が、上記地下貯水槽の内底部全体に広がって堆積することを防止することができる。更に、上記フィルタのろ過性能を適宜選択することにより、上記地下貯水槽に貯留される水は、濁りがより抑制されたものとすることが可能になる。よって、該地下貯水槽に貯留される水を利用する際の利便性を高めることができる。しかも、上記フィルタは、開口部の仕切壁の内側に入った作業者によりメンテナンスを容易に実施することができる。
【図面の簡単な説明】
【００２８】
【図１】本発明の地下貯水槽の堆砂装置の実施の一形態を示すもので、（ａ）は概略平面図、（ｂ）は（ａ）のＡ−Ａ方向矢視図である。
【図２】本発明の実施の他の形態を示す概略切断側面図である。
【図３】樹脂製の貯水空間形成ユニットを用いて構築する地下貯水槽の概要を示す切断側面図である。
【図４】地下貯水槽に装備される堆砂用の手段の一例の概要を示す切断平面図である。
【発明を実施するための形態】
【００２９】
以下、本発明を実施するための形態を図面を参照して説明する。
【００３０】
図１（ａ）（ｂ）は本発明の地下貯水槽の堆砂装置の実施の一形態を示すもので、以下のようにしてある。
【００３１】
すなわち、本発明の地下貯水槽の堆砂装置（以下、単に堆砂装置と云う）は、図１（ａ）（ｂ）に符号１５で示すように、図３に示したものと同様に、貯水空間形成ブロック１を水平方向の縦横２方向に配列すると共に、上下方向に多段に積層して組み立ててなるブロック組立構造体６を備えた地下貯水槽Ｉにおいて、流入口１０より水が流入する上記ブロック組立構造体６の所定個所に、上下方向に連続して上記貯水空間形成ブロック１が存在しない開口部１６を設ける。
【００３２】
上記開口部１６は、上記ブロック組立構造体６を形成すべく上記貯水空間形成ブロック１を上下方向に積層される各段に対応する高さ位置の水平面内で縦横２方向に配列して組み立てるときに、たとえば、図１（ａ）（ｂ）に示すように、縦横２方向に２つずつ、計４つの貯水空間形成ブロック１を抜いた状態で組み立てを行うことによって形成されている。したがって、上記開口部１６は、その平面形状が上記貯水空間形成ブロック１の４つ分の形状に対応する正方形となっている。
【００３３】
上記開口部１６の内周縁には、該開口部１６の平面形状の各辺に対応する四方に、ブロック組立構造体６の下端から上端までの全面に亘る仕切壁１７がそれぞれ取り外し可能に設けられている。該各仕切壁１７は、その外側面が、上記開口部１６の外側で上下方向に積層配置されている各段の貯水空間形成ブロック１の水平構造部２にそれぞれ接するように配置されている。
【００３４】
更に、上記仕切壁１７は、内側面から外側面へ壁厚方向に貫通する図示しない流水口（開口）を備えている。該仕切壁１７の流水口は、たとえば、図３、図４に示した仕切壁１２の図示しない流水口と同様に、半径約１０ｍｍの大きさに設定するようにすればよい。
【００３５】
上記仕切壁１７は、地下貯水槽Ｉに作用する水平土圧により上記ブロック組立構造体６を構成している各貯水空間形成ブロック１の水平構造部２に作用する荷重と同等の荷重が壁厚方向に作用しても、該仕切壁１７に壁厚方向の変形が生じないような剛性を備えているものとする。
【００３６】
なお、上記仕切壁１７は、上記開口部１６の周縁の四方にブロック組立構造体６の下端から上端までの全面に亘って設けることができるようにしてあれば、たとえば、複数の壁ユニット１７ａを組み立てて構築する組立構造としてもよい。この場合、上記壁ユニット１７ａは、図１（ａ）（ｂ）に示すように、通常姿勢、すなわち、水平構造物２の上面より支柱部３が上方に突出する姿勢の貯水空間形成ブロック１と、その上側に上下反転させた姿勢、すなわち、水平構造部２の下面より支柱部３が下方に突出する姿勢の貯水空間形成ブロック１とを積層して連結した２個一組の貯水空間形成ブロック１の側面の外形に対応する形状を備えた構成とすることが好ましい。かかる形式の壁ユニット１７ａは、地下貯水槽Ｉにおけるブロック組立構造体６を構成する貯水空間形成ブロック１の積層段数や、上記開口部１６のサイズが異なる場合にも、鉛直方向と水平方向に配列する該壁ユニット１７ａの数を適宜設定することで、適切なサイズの仕切壁１７を容易に組み立てて製作することができる。
【００３７】
上記仕切壁１７、又は、壁ユニット１７ａは、樹脂製の成形物とすることが望ましい。
【００３８】
更に、上記開口部１６の周縁に配置された上記仕切壁１７の内側には、荷重伝達用枠体１８が配置されている。
【００３９】
上記荷重伝達用枠体１８は、上記開口部１６の周縁にて周方向に隣接する仕切壁１７同士の間に形成されている各コーナ部（四隅部）に沿って地下貯水槽Ｉの上下方向寸法の全長に亘って延びる支柱部材１９と、該支柱部材１９同士の間に水平方向に配置して、長手方向両端部をそれぞれ対応する支柱部材１９に連結した梁部材２０とからなる構成としてある。
【００４０】
上記荷重伝達用枠体１８の各支柱部材１９は、上記開口部１６の内側に配置されているすべての支柱部材１９の縦剛性の和、すなわち、図１（ａ）（ｂ）では４つの支柱部材１９の縦剛性の和により、上記地下貯水槽Ｉにて上記ブロック組立構造体６における上記開口部１６が形成されている個所に、該開口部１６の外側（仕切壁１７の外側）にて貯水空間形成ブロック１が上下に積層配置されている領域の縦剛性と同様の縦剛性を担保できるようにしてあるものとする。
【００４１】
なお、上記各支柱部材１９は、図１（ｂ）に示すように、通常姿勢の貯水空間形成ブロック１と上下反転させた姿勢の貯水空間形成ブロック１を積層して連結した上下２個一組の貯水空間形成ブロック１の高さ寸法に応じた上下方向寸法の支柱部材ユニット１９ａからなる組立構造とすることが望ましい。
【００４２】
かかる構成としてある支柱部材１９では、地下貯水槽Ｉのブロック組立構造体６における通常姿勢と上下反転させた姿勢の上下２個一組の貯水空間形成ブロック１の積層段数に応じた数で、支柱部材ユニット１９ａを上下方向に連結することで、上記上下２個一組の貯水空間形成ブロック１の積層段数の異なるブロック組立構造体６を備える地下貯水槽Ｉに対し、適切な上下方向寸法の支柱部材１９を容易に組み立てて製作することができる。
【００４３】
上記荷重伝達用枠体１８の各梁部材２０は、該各梁部材２０同士が上記各支柱部材１９を介して連結されることで形成された平面形状方形の枠構造により、上記地下貯水槽Ｉにて上記ブロック組立構造体６における上記開口部１６が形成されていることで貯水空間形成ブロック１の水平構造部２が存在しなくなっている領域に、該開口部１６の外側（仕切壁１７の外側）の領域にて貯水空間形成ブロック１の水平構造部２が水平方向の縦横２方向に並べて配列されていることに起因して得られる水平方向剛性と同様の水平方向剛性を担保できるようにしてあるものとする。
【００４４】
なお、上記各梁部材２０は、上記開口部１６の外側で上下に積層されている貯水空間形成ブロック１の水平構造部２が配置される高さ位置、又は、その近傍となる高さ位置に配置することが好ましい。このような構成によれば、上記各梁部材２０を介することにより、上記開口部１６の周囲に配置されている貯水空間形成ブロック１の水平構造部２同士の間で、水平方向の荷重が効率よく伝達されるようになる。
【００４５】
又、上記各梁部材２０は、その長手方向両端部を、上記各支柱部材１９の対応する個所に取り外し可能な連結手段で連結することが好ましい。このような構成によれば、上記開口部１６の四方の周縁に配置した仕切壁１７の内側で、上記荷重伝達用枠体１８の組み立てと分解が可能になるため、運用中の地下貯水槽Ｉのメンテナンスのために上記仕切壁１７を取り外す作業を行う必要が生じた場合に、その取り外し作業を容易に実施することが可能になる。
【００４６】
なお、上記荷重伝達用枠体１８の各部材１９，２０は、メッキにより耐食性を備えた棒状の鋼材や、耐食性を有する素材製の棒状の鋼材で製造するようにすればよい。
【００４７】
２１は上記開口部１６の直上に設けるマンホールである。なお、図３及び図４では、図示する便宜上、本来、互いに接触している仕切壁１７とその内側の荷重伝達用枠体１８との間に隙間が記載してある。又、図３及び図４では、地下貯水槽Ｉにおけるシート材９の記載も省略してある。（後述する図２も同様）
その他、図３及び図４に示したものと同一のものには同一符号が付してある。
【００４８】
以上の構成としてある本発明の堆砂装置１５によれば、地下貯水槽Ｉの流入口１０より水と共に石や砂利、土の塊等が流入すると、これらの石や砂利、土の塊等が仕切壁１７の図示しない流水口を通過することを制限できるため、上記石や砂利、土の塊等を、上記仕切壁１７により囲まれた開口部１６の内底部に沈殿させることができる。
【００４９】
この沈殿により開口部１６の内底部に堆積する沈殿物は、定期点検時等に、上記地下貯水槽Ｉ内の水を適宜抜いた状態で、上記マンホール２１より開口部１６の仕切壁１７の内側へ作業者が入って除去することができる。よって、これらの沈殿物が上記地下貯水槽Ｉの内底部全体に広がって生じることを防止することができる。
【００５０】
更に、上記開口部１６の周縁に設けられた仕切壁１７の内側には、支柱部材１９と梁部材２０とからなる枠構造の荷重伝達用枠体１８が配置されているのみであるため、該荷重伝達用枠体１８の内側から、上記仕切壁１７までの距離を近いものとすることができる。
【００５１】
しかも、作業者は、上記荷重伝達用枠体１８の内側から、該荷重伝達用枠体１８の各構成部材１９，２０同士の間に形成されている大きな開口を通して上記仕切壁１７に触ることが可能になる。
【００５２】
よって、本発明の堆砂装置１５は、上記仕切壁１７の図示しない流水口の目詰まり等の点検や保守を行う場合の作業性を高めることができる。
【００５３】
又、本発明の堆砂装置１５は、上記荷重伝達用枠体１８を各構成部材１９，２０同士の連結個所を、取り外し可能とすることで、上記開口部１６の周縁に配置した仕切壁１７を容易に取り外すことが可能になる。
【００５４】
上記地下貯水槽Ｉでは、開口部１６を設けた部分の縦剛性や水平方向剛性が、上記荷重伝達用枠体１８により担保されていることから、該開口部１６を設けた部分の強度が低下する虞はない。
【００５５】
上記荷重伝達用枠体１８は、鋼材製の各部材１９，２０の連結により容易に製造することができる。
【００５６】
又、通常の貯水空間形成ブロック１とは別の形状の特殊な貯水空間形成ブロックは必要ないため、この特殊な貯水空間形成ブロックを製造するための金型を用意する必要はない。よって、本発明の堆砂装置１５は、地下貯水槽Ｉに装備する際のコストを抑制することができる。
【００５７】
次に、図２は本発明の実施の他の形態を示すもので、図１（ａ）（ｂ）に示したと同様の構成において、開口部１６の周縁に設けてある仕切壁１７の内側に、フィルタ２２を、取り外し可能に取り付けた構成としたものである。
【００５８】
上記フィルタ２２は、仕切壁１７の内側にて、前述した荷重伝達用枠体１８の各支柱部材１９同士と各梁部材２０同士の間に形成されている開口に露出されている個所にのみ取り付けるようにすればよい。なお、上記フィルタ２２は、仕切壁１７の内側の全面に取り付けるようにしてもよい。この場合は、仕切壁１７に接触するように配置されている上記荷重伝達用枠体１８を、一時的に取り外すようにすればよい。
【００５９】
又、本実施の形態では、上記フィルタ２２が、流入口１０より水と一緒に地下貯水槽Ｉへ流入する石や砂利、土の塊等のろ過機能を発揮することから、上記仕切壁１７に設ける図示しない流水口は、上記フィルタ２２を健全に支持できる範囲内で、開口面積を拡大してもよい。
【００６０】
更に、図示してないが、上記フィルタ２２は、上記仕切壁１７の内側に取り付ける構成に代えて、上記荷重伝達用枠体１８における支柱部材１９と梁部材２０の間に形成されている開口を覆うように配置したフィルタ２２を、該荷重伝達用枠体１８に取り外し可能に取り付けた構成としてもよい。この場合、上記フィルタ２２は、たとえば、上下の端縁部を、上下に隣接配置されている梁部材２０にそれぞれ保持させるようにすればよい。又、上記フィルタ２２は、左右の端縁部を隣接する支柱部材１９にそれぞれ保持させるようにしたり、四方の端縁部を対応する支柱部材１９と梁部材２０にそれぞれ保持させるようにしてもよい。
【００６１】
なお、上記フィルタ２２は、空中、気水界面、水中で必要期間腐食せず、水中に混入した固体のろ過機能を発揮できるものであれば、所望されるろ過性能に応じて、定形あるいは不定形の孔の開いた金属板、金属製や樹脂製の網、多孔質材、不織布等、様々なフィルタ２２を採用してよい。
【００６２】
その他の構成は図１（ａ）（ｂ）に示したものと同様であり、同一のものには同一の符号が付してある。
【００６３】
本実施の形態の堆砂装置１５によれば、上記仕切壁１７の図示しない流水口を通過する水を上記フィルタ２２によりろ過することで、より粒径の小さい沈殿物が、上記地下貯水槽Ｉの内底部全体に広がって堆積することを防止することができる。
【００６４】
更に、上記フィルタ２２は、ろ過性能を適宜選択することにより、上記地下貯水槽Ｉに貯留される水の濁りをより抑制することが可能になる。よって、該地下貯水槽Ｉに貯留される水を利用する際の利便性を高めることができる。
【００６５】
しかも、上記フィルタ２２は、目詰まりした場合であっても、マンホール（図１（ａ）参照）から開口部１６の仕切壁の内側に入った作業者が、該フィルタ２２の点検や交換等のメンテナンスを容易に実施することができる。
【００６６】
なお、本発明は上記実施の形態のみに限定されるものではなく、地下貯水槽Ｉに設ける開口部１６は、作業者が内側で作業するために該開口部１６に求められる開口面積と、上記貯水空間形成ブロック１の水平構造部２の面積に応じて、ブロック組立構造体６に上記開口部１６を形成するために水平方向の縦横２方向の配列から抜く貯水空間形成ブロック数を適宜変更してもよい。又、上記開口部１６は、平面形状を長方形としてもよい。
【００６７】
上記荷重伝達用枠体１８は、所望される縦剛性が大きい場合は、開口部１６の周縁の仕切壁１７の内側における四隅部に配置された支柱部材１９に加えて、該各支柱部材１９の間となる個所にも支柱部材を設けた構成としてもよい。
【００６８】
地下貯水槽Ｉのサイズや平面形状は、図示した以外の任意のサイズや平面形状であってよい。よって、上記地下貯水槽Ｉのブロック組立構造体６を組み立てるための貯水空間形成ブロック１の水平方向の縦横２方向の配列数、及び、上下の積層数は、自在に変更してもよい。更に、地下貯水槽Ｉにおける流入口１０の配置に応じて、上記ブロック組立構造体６における開口部１６を設ける個所は適宜変更してよい。
【００６９】
その他本発明の要旨を逸脱しない範囲内で種々変更を加え得ることは勿論である。
【符号の説明】
【００７０】
Ｉ  地下貯水槽
１  貯水空間形成ブロック
２  水平構造部
３  支柱部
６  ブロック組立構造体
７  壁
８  天板
９  シート材
１０  流入口
１６  開口部
１７  仕切壁
１７ａ  壁ユニット
１８  荷重伝達用枠体
１９  支柱部材
２０  梁部材
２２  フィルタ
【図１】
0005759339.tif 000002
【図２】
0005759339.tif 000003
【図３】
0005759339.tif 000004
【図４】
0005759339.tif 000005